(57)【要約】【課題】操作画面と確認画面とを１台の端末で同時に視聴することができ、しかも操作性の向上を図り得るビデオサーバ操作端末装置を提供する。【解決手段】操作端末１２の制御部１２５において、収録操作画面及びプレビュー操作画面の生成だけでなく、ビデオサーバ１１のメモリ１１１に記録中にある放送素材データを追っかけ再生により取得し、収録操作画面内に追っかけ再生映像を同時に表示部１２４に表示するようにしている。【選択図】      図２
2007074687.tif 000002
【特許請求の範囲】
【請求項１】
放送素材データを記録媒体に記録し、この記録媒体に記録された放送素材データを再生するビデオサーバの動作を制御するビデオサーバ操作端末装置において、
前記ビデオサーバに対し放送素材データの記録媒体への記録及び前記記録媒体に記録されている放送素材データの再生の少なくとも１つを行なうために必要な操作画面を生成する操作画面生成手段と、
前記ビデオサーバの記録媒体に対し記録状態にある放送素材データを取得する取得手段と、
前記操作画面生成手段により生成される操作画面に前記取得手段により得られた放送素材データを表示する表示手段とを具備したことを特徴とするビデオサーバ操作端末装置。
【請求項２】
前記表示手段は、前記放送素材データの表示枠をアスペクト比１６：９とするとき、第１の放送方式の放送素材データを前記表示枠より狭い枠で表示し、前記第１の放送方式に比して高精細な第２の放送方式の放送素材データを前記表示枠にそのまま表示することを特徴とする請求項１記載のビデオサーバ操作端末装置。
【請求項３】
前記表示手段は、前記操作画面が記録操作画面と再生操作画面とからなるとき、前記ビデオサーバの記録動作終了時に前記記録操作画面から前記再生操作画面に自動的に切り替えて表示することを特徴とする請求項１記載のビデオサーバ操作端末装置。
【請求項４】
前記表示手段は、前記操作画面が記録操作画面と再生操作画面とからなるとき、前記記録操作画面から前記再生操作画面への切り替え、または前記再生操作画面から前記記録操作画面への切り替えを行うとき、前記記録操作画面中の記録操作ボタン部分及び前記再生操作画面中の再生操作ボタン部分を切り替えて表示することを特徴とする請求項１記載のビデオサーバ操作端末装置。
【請求項５】
前記操作画面生成手段は、記録時に前記記録媒体に記録される放送素材データを互いに一定のデータ長となる複数のサムネイルに分割し、
前記表示手段は、前記操作画面中に前記複数のサムネイルを表示することを特徴とする請求項１記載のビデオサーバ操作端末装置。
【発明の詳細な説明】
【技術分野】
【０００１】
この発明は、例えば放送局のニュース送出サーバ装置、素材サーバ装置、ＣＭ（コマーシャル）バンク装置、ＶＡＦ(Video Audio File)装置等の放送素材データの記録再生機能を有するビデオサーバに対し、放送素材データの記録制御及び再生制御を行なうビデオサーバ操作端末装置に関する。
【背景技術】
【０００２】
ニュース送出サーバ装置、素材サーバ装置、ＣＭバンク装置、ＶＡＦ装置等の映像・音声の蓄積・送出機能を持つビデオサーバ装置に対し、ユーザは操作端末を用いて収録（蓄積）時に収録結果の確認を行うために通常追っかけ再生（収録しながら少し遅れて収録素材を再生する）を行い、収録結果の良否・素材内容の確認を行う（例えば、特許文献１）。
【０００３】
また、この追っかけ再生による収録確認作業以外に、収録素材の送出のために事前に行うプレビュー作業に関し、従来はビデオサーバ装置の操作端末用モニタとは別の映像モニタを使用して画像確認を行っている。
【特許文献１】特開平１１−２７５４９５号公報。
【発明の開示】
【発明が解決しようとする課題】
【０００４】
しかしながら、操作画面（端末用モニタ）と確認画面（映像モニタ）が別機器のため、連続的な収録作業を続ける時には、視点の移動による目・首の疲れを伴い、次の収録操作が視点移動のため時間がかかり、スムーズな連続収録作業ができなかった。
【０００５】
また、従来は端末用モニタに収録操作画面全体とプレビュー操作画面全体を切り替えて表示し、収録素材の確認をしていた。あるいは、一つの操作画面に両操作ボタンを配置し、操作性を犠牲にした操作画面を使用していた。
【０００６】
そこで、この発明の目的は、操作画面と確認画面とを１台の端末で同時に視聴することができ、しかも操作性の向上を図り得るビデオサーバ操作端末装置を提供することにある。
【課題を解決するための手段】
【０００７】
この発明は、上記目的を達成するために、以下のように構成される。  
放送素材データを記録媒体に記録し、この記録媒体に記録された放送素材データを再生するビデオサーバの動作を制御するビデオサーバ操作端末装置において、ビデオサーバに対し放送素材データの記録媒体への記録及び記録媒体に記録されている放送素材データの再生の少なくとも１つを行なうために必要な操作画面を生成する操作画面生成手段と、ビデオサーバの記録媒体に対し記録状態にある放送素材データを取得する取得手段と、操作画面生成手段により生成される操作画面に取得手段により得られた放送素材データを表示する表示手段とを備えるようにしたものである。
【０００８】
この構成によれば、操作画面の生成だけでなく、ビデオサーバの記録媒体に記録中にある放送素材データを追っかけ再生により取得し、操作画面内に追っかけ再生による放送素材データを同時に表示するようにしている。従って、操作画面と確認画面とを別々の装置により確認することなく１台の装置で操作画面と確認画面とを同時に確認できるようになり、ユーザの疲労減少・操作効率化を図ることができる。
【０００９】
表示手段は、放送素材データの表示枠をアスペクト比１６：９とするとき、第１の放送方式の放送素材データを表示枠より狭い枠で表示し、第１の放送方式に比して高精細な第２の放送方式の放送素材データを表示枠にそのまま表示することを特徴とする。
【００１０】
この構成によれば、限られた操作画面内に第２の放送方式による映像を第１の放送方式による映像に対して高画質に表示できる。
【００１１】
表示手段は、操作画面が記録操作画面と再生操作画面とからなるとき、ビデオサーバの記録動作終了時に記録操作画面から再生操作画面に自動的に切り替えて表示することを特徴とする。
【００１２】
この構成によれば、ビデオサーバの記録動作終了時において、記録操作画面から再生操作画面に自動的に切替表示されることになるので、ユーザが手操作で記録操作画面から再生操作画面に切り替えることなく、その分再生操作を容易にできる。
【００１３】
表示手段は、操作画面が記録操作画面と再生操作画面とからなるとき、記録操作画面から再生操作画面への切り替え、または再生操作画面から記録操作画面への切り替えを行うとき、記録操作画面中の記録操作ボタン部分及び再生操作画面中の再生操作ボタン部分を切り替えて表示することを特徴とする。
【００１４】
この構成によれば、記録操作画面中の記録操作ボタン部分及び再生操作画面中の再生操作ボタン部分のみを切替式としているので、ユーザはビデオサーバの記録操作及び再生操作を一画面内で容易に行なえ、かつ一画面内の操作ボタン数を減らして操作性向上を図れる。さらに、一画面内で操作ボタン等の配置・大きさに自由度を持たせることができる。
【００１５】
操作画面生成手段は、記録時に記録媒体に記録される放送素材データを互いに一定のデータ長となる複数のサムネイルに分割し、表示手段は、操作画面中に複数のサムネイルを表示することを特徴とする。
【００１６】
この構成によれば、操作画面中に記録時に作成した複数のサムネイルを表示し、再生開始位置、あるいは各種の再生機能の開始指定を行なうことを可能にして操作性の向上を図ることができる。
【発明の効果】
【００１７】
以上詳述したようにこの発明によれば、操作画面と確認画面とを１台の端末で同時に視聴することができ、しかも操作性の向上を図り得るビデオサーバ操作端末装置を提供することができる。
【発明を実施するための最良の形態】
【００１８】
以下、この発明の実施形態について図面を参照して詳細に説明する。  
図１は、この発明に係わるビデオサーバ操作端末装置が適用されるビデオサーバシステムの一実施形態を示す概略構成図である。
【００１９】
このシステムは、ビデオサーバ１１と、ビデオサーバ操作端末装置としての操作端末１２とから構成される。これらビデオサーバ１１及び操作端末１２は、制御回線１３により接続されている。
【００２０】
ビデオサーバ１１は、操作端末１２からの指示に従い、映像・音声からなる放送素材データをメモリ１１１に記録し、このメモリ１１１に記録された放送素材データを再生する。
【００２１】
ところで、上記操作端末１２は次のように構成される。図２はその構成を示すブロック図である。
【００２２】
同図において、バス１２１には、ビデオサーバインタフェース（Ｉ／Ｆ）１２２と、入力部１２３と、表示部１２４と、制御部１２５と、ＲＡＭ１２６とが接続されている。ビデオサーバインタフェース１２２は、制御部１２５の指示に従い、ビデオサーバ１１の動作を制御すべく、ビデオサーバ１１と制御回線１３を介して通信を行なう。
【００２３】
入力部１２３は、希望する放送素材データの収録指示、プレビュー指示など、ビデオサーバ１１に対し種々の動作指示を入力するために使用するものである。
【００２４】
制御部１２５は、ビデオサーバ１１の制御動作に係わる通常の制御機能に加え、この発明に係わる新たな機能として、操作画面作成機能１２５ａと、追っかけ再生映像取得機能１２５ｂと、表示制御機能１２５ｃとを備えている。
【００２５】
操作画面作成機能１２５ａは、ビデオサーバ１１に対し放送素材データのメモリ１１１への収録を行うために必要な収録操作画面、及びメモリ１１１に収録されている放送素材データのプレビューを行なうために必要なプレビュー操作画面を作成する。このとき、収録時にメモリ１１１に収録される放送素材データを互いに一定の時間おきの複数のサムネイルに分割し、これら複数のサムネイルをＲＡＭ１２６に記憶する。
【００２６】
追っかけ再生映像取得機能１２５ｂは、ビデオサーバ１１のメモリ１１１に対し収録中にある追っかけ再生映像データをビデオサーバインタフェース１２１を介して取得する。この追っかけ再生映像データは、取得後にＲＡＭ１２６に記憶される。
【００２７】
表示制御機能１２５ｃは、上記操作画面作成機能１２５ａにより作成される収録操作画面及びプレビュー操作画面にＲＡＭ１２６に記憶された追っかけ再生映像データを重ねて表示部１２４に表示する。このとき、追っかけ再生映像の表示枠をアスペクト比１６：９とし、追っかけ再生映像データがＳＤ（５２５ライン方式）のときにはアスペクト比１６：９より狭いサイドパネル方式で表示し、ＨＤ（１１２５ライン方式）のときにはそのまま表示する。また、ビデオサーバ１１の収録動作終了時に収録操作画面からプレビュー操作画面に自動的に切り替える。このとき、収録操作画面中の収録操作ボタン部分及びプレビュー操作ボタン部分のみを切り替える。さらに、サムネイルの表示も行なう。
【００２８】
次に、以上のように構成されたシステムによる収録動作及びプレビュー動作について説明する。図３は上記操作端末１２による収録制御手順及びその内容を示すフローチャートである。
【００２９】
ビデオサーバ１１に対し放送素材データの収録を行う際に、ユーザは操作端末１２において入力部１２３を操作することで先ず図４に示す画面を表示部１２４に表示させる。そして、「収録開始」のボタンをクリックすると、制御部１２５はステップＳＴ３ａからステップＳＴ３ｂに移行して、ここで表示部１２４に図５に示す収録操作画面を表示し、ユーザによる収録素材データの入力を受け付ける（ステップＳＴ３ｃ）。このとき、収録操作画面の右側の１６：９プレビュー画面には黒映像が表示されている。
【００３０】
そしてユーザは、例えば素材ＩＤ、収録日時、収録開始時刻、入力ソース（ＶＴＲ）、ＨＤ、ＳＤを示す情報等を入力する。制御部１２５は、入力された収録素材の情報をＲＡＭ１２６に保持するとともに、上記入力情報を表示部１２４に表示する。
【００３１】
この状態でユーザが入力部１２３において確定操作、つまり「収録開始」をクリックすると、制御部１２５はステップＳＴ３ｄからステップＳＴ３ｅに移行し、ここでビデオサーバ１１に対し任意の放送素材データの収録を実行させ、そして収録操作画面のプレビュー画面に収録中にある追っかけ再生映像を表示させる。なお、追っかけ再生が終わると再度黒映像が表示され、ＯＵＴ点のフリーズ表示と一定時間（設定変更可能）おきのサムネイルが収録操作画面の左下に作成表示される。
【００３２】
以後、ユーザが入力部１２３において収録終了操作を行なうまで、制御部１２５は上記ステップＳＴ３ｅからステップＳＴ３ｆによる処理を繰り返し実行する。そうして、ユーザが入力部１２３において収録終了操作を行なったとする。そうすると制御部１２５はステップＳＴ３ｆからステップＳＴ３ｇに移行し、ここでプレビュー画面に黒映像を表示し、しかる後にＩＮ点のフリーズ表示を行なう。
【００３３】
この時点では、ボタン表示が、図６に示す如く、収録関連のボタン（たとえば「収録開始」、「収録終了」等）からプレビュー関連のボタンに切り替わって表示されている。
【００３４】
プレビューは、５倍逆再生、２倍逆再生、１倍逆再生、１／２倍逆再生、１／２倍再生、１倍再生、２倍再生、５倍再生、５フレーム戻し、１フレーム戻し、停止、１フレーム送り、５フレーム送り等多くの再生機能があり、各々の操作ボタンで必要に応じてプレビュー動作を行う。
【００３５】
また、プレビューは先頭からの再生ができるが、素材途中を一定時間ごとに表示するサムネイルの指定により再生開始位置を指定して再生等も行える。
【００３６】
なお、ビデオサーバ１１では、通常送出に必要な部分の前後に余分に映像・音声を収録し、送出の時間誤差の影響を防いでいる。収録部分の内の余分な部分を除いた最初をＩＮ点、終わりをＯＵＴ点という。
【００３７】
以上のように上記実施形態では、操作端末１２の制御部１２５において、収録操作画面及びプレビュー操作画面の生成だけでなく、ビデオサーバ１１のメモリ１１１に記録中にある放送素材データを追っかけ再生により取得し、収録操作画面内に追っかけ再生映像を同時に表示部１２４に表示するようにしている。
【００３８】
従って、操作画面と追っかけ再生映像画面とを別々のモニタにより確認することなく１台の操作端末１２の表示部１２４で操作画面と追っかけ再生映像画面とを同時に確認できるようになり、これによりユーザの疲労減少・操作効率化を図ることができる。
【００３９】
また、上記実施形態では、ビデオサーバ１１の収録動作終了時において、収録操作画面からプレビュー操作画面に自動的に切替表示するようにしているので、ユーザが手操作で収録操作画面からプレビュー操作画面に切り替えることなく、その分プレビュー操作を容易にできる。
【００４０】
また、上記実施形態では、収録操作画面中の収録操作ボタン部分及びプレビュー操作画面中のプレビュー操作ボタン部分のみを切替式としているので、ユーザはビデオサーバ１１の収録操作及びプレビュー操作を表示部１２４の一画面内で容易に行なえ、かつ一画面内の操作ボタン数を減らして操作性向上を図れる。さらに、一画面内で操作ボタン等の配置・大きさに自由度を持たせることができる。
【００４１】
さらに、上記実施形態では、収録操作画面中及びプレビュー操作画面中に収録時に作成した複数のサムネイルを表示し、プレビュー開始位置、あるいは各種のプレビュー機能の開始指定を行なうことを可能にして操作性の向上を図ることができる。
【００４２】
なお、上記実施形態では、上記操作端末１２による収録制御手順を例に説明したが、上記操作端末１２によるプレビュー再生制御手順についても収録制御手順と同様な手順で実施できる。
【００４３】
なお、操作端末の構成、操作画面の表示方法、追っかけ再生映像の表示方法、取り扱う放送素材データの種類等についても、この発明の要旨を逸脱しない範囲で種々変形して実施できる。
【図面の簡単な説明】
【００４４】
【図１】この発明に係わるビデオサーバ操作端末装置が適用されるビデオサーバシステムの一実施形態を示す概略構成図。
【図２】図１に示した操作端末の構成を示すブロック図。
【図３】図２に示した制御部の収録制御手順とその内容を示すフローチャート。
【図４】同実施形態における収録開始画面を示す図。
【図５】同実施形態における収録操作画面内に追っかけ再生映像を表示した例を示す図。
【図６】同実施形態におけるプレビュー操作画面の操作ボタン部分を示す図。
【符号の説明】
【００４５】
１１…ビデオサーバ、１２…操作端末、１３…制御回線、１１１…メモリ、１２１…バス、１２２…ビデオサーバインタフェース（Ｉ／Ｆ）、１２３…入力部、１２４…表示部、１２５…制御部、１２６…ＲＡＭ、１２１ａ…操作画面作成機能、１２１ｂ…追っかけ再生映像取得機能、１２５ｃ…表示制御機能。
【図１】
2007074687.tif 000003
【図２】
2007074687.tif 000004
【図３】
2007074687.tif 000005
【図４】
2007074687.tif 000006
【図５】
2007074687.tif 000007
【図６】
2007074687.tif 000008